(57)【要約】【課題】かご床の奥行き方向の寸法調整が容易にできるようにしたエレベータのかご床を得る。【解決手段】エレベータのかご床を構成する床枠１と、床枠の前端部に固定され、敷居溝を有する敷居本体３１と、敷居本体の前端部に配置され、断面形状における対角線上に長さの異なる凸部３２ａ、３２ｂを有しており、敷居本体への取り付けの向きを適宜選択して取り付け固定することにより、かご床奥行き方向の寸法を調整できる敷居別体３２とを備える。【選択図】図１
2007331927.tif 000002
【特許請求の範囲】
【請求項１】
エレベータのかご床を構成する床枠と、
前記床枠の前端部に固定され、敷居溝を有する敷居本体と、
前記敷居本体の前端部に配置され、断面形状における対角線上に長さの異なる凸部を有しており、前記敷居本体への取り付けの向きを適宜選択して取り付け固定することにより、かご床奥行き方向の寸法を調整できる敷居別体と、
を備えたことを特徴とするエレベータのかご床。
【請求項２】
敷居別体は敷居本体の長手方向に並列に配置される複数個からなり、これら複数個の敷居別体はそれぞれの連結具により前記敷居本体に個別に固定されることを特徴とする請求項１記載のエレベータのかご床。
【請求項３】
敷居本体は、敷居別体の凸部が収まる凹部を有することを特徴とする請求項１又は請求項２記載のエレベータのかご床。
【請求項４】
敷居別体の凸部とは反対の対角線上にある角部は面取りが施されていることを特徴とする請求項１〜請求項３のいずれかに記載のエレベータのかご床。
【発明の詳細な説明】
【技術分野】
【０００１】
この発明は、かご床の奥行き方向の寸法調整が容易にできるエレベータのかご床に関するものである。
【背景技術】
【０００２】
従来のエレベータのかご床として、例えば図５に示すような構造のものがある。
図５において、エレベータのかご床を構成している鋼板製の床枠１の前端部下面には、Ｃ型チャンネル２が溶接されている。このＣ型チャンネル２の前面には、敷居３を受ける鋼材製のＬ型アングル４がボルト５によって固着されている。また、Ｌ型アングル４の上面には、敷居溝を有する敷居３がボルト６により固定されている。また、床枠１の上面には、かご床の敷物であるタイル７等が、タイルの上面７ａと敷居３の上面３ａが略同一面となるように、またタイルと敷居の合わせ面は隙間が生じないように、接着等により固定されている。このように構成されたかご床においては、一度、タイルと敷居を組立てた後は、敷居の位置を調整しようとした場合に、敷居とタイルの合わせ面の見栄えを損なわないようにするため、タイルを削るか、もう一度貼り直す必要がある。また、敷居の調整は、敷居の取付穴の余裕分のみであるため、調整できる範囲も限られている。
【０００３】
また、従来技術として、敷居と敷物であるカーペットの合わせ面の見栄えを損なわないようにするものがある（例えば、特許文献１参照）。
【０００４】
【特許文献１】特開平８−１９８５６０号公報
【発明の開示】
【発明が解決しようとする課題】
【０００５】
従来のエレベータのかご床では、一度、タイルと敷居を組立てた後は、敷居の位置を調整しようとした場合に、敷居とタイルの合わせ面の見栄えを損なわないようにするため、タイルを削るか、もう一度貼り直す必要がある。また、敷居の調整は、敷居の取付穴の余裕分のみであるため、調整できる範囲も限られている。
ところで、エレベータのかごを建物の昇降路内に据付ける場合には、建物の各階床の乗場の敷居とかごの敷居との間隔が一定の寸法の範囲内となるように設定する必要がある。しかし、上記のように一度組立ててしまったかご側での寸法調整は非常に困難であるため、かごと乗場側の敷居の据付け精度と、かご床の組立て精度が非常に厳しいものとなっていた。特に、出入口がニ方向のタイプのエレベータにおいては、両方向で各階床の乗場の敷居とかごの敷居との間隔が一定の寸法の範囲内となるように、より一層高い据付け精度と組立て精度を求められていた。このため、かご床の加工費が高くなり、据付けに要する時間も多くなるという問題点があった。
【０００６】
この発明は上記のような課題を解決するためになされたもので、かご床の奥行き方向の寸法調整が容易にできるようにしたエレベータのかご床を提供することを目的とするものである。
【課題を解決するための手段】
【０００７】
この発明に係るエレベータのかご床は、エレベータのかご床を構成する床枠と、床枠の前端部に固定され、敷居溝を有する敷居本体と、敷居本体の前端部に配置され、断面形状における対角線上に長さの異なる凸部を有しており、敷居本体への取り付けの向きを適宜選択して取り付け固定することにより、かご床奥行き方向の寸法を調整できる敷居別体とを備えたものである。
【発明の効果】
【０００８】
この発明によれば、敷居本体に対する敷居別体の取り付けの向きを適宜選択して取り付け固定することにより、かご床の奥行き方向の寸法を容易に調整することができる。
【発明を実施するための最良の形態】
【０００９】
実施の形態１.
図１はこの発明の実施の形態１におけるエレベータのかご床の敷居部分を示す要部断面図、図２はこの発明の実施の形態１におけるエレベータのかご床の敷居別体部分を示す縦断面図である。
【００１０】
図において、エレベータのかご床を構成している鋼板製の床枠１の前端部下面には、Ｃ型チャンネル２が溶接されている。このＣ型チャンネル２の前面には、敷居本体３１を受ける鋼材製のＬ型アングル４がボルト５によって固着されている。また、Ｌ型アングル４の上面には、敷居溝を有する敷居３１がボルト６により固定されている。また、床枠１の上面には、かご床の敷物であるタイル７等が、タイルの上面７ａと敷居本体３１の上面３１ａが略同一面となるように、またタイルと敷居の合わせ面は隙間が生じないように、接着等により固定されている。ここまでの構成は、従来のものとほぼ同様の構成であるが、敷居溝を有する敷居本体３１の奥行き寸法は、従来の敷居溝を有する敷居３の奥行き寸法よりも小さくなっている。この発明においては、敷居本体３１の前端面に、取り付けの向きを適宜選択して取り付け固定することにより、敷居全体の奥行き寸法幅、すなわち、かご床奥行き方向の寸法を調整できる敷居別体３２が固定されている。この敷居別体３２には、その一側上端部及びそれと対角線上にある他側下端部にそれぞれ異なる長さｔ１、ｔ２の凸部３２ａ、３２ｂが水平方向に突出するように設けられている。そして、敷居別体３２の高さ寸法は、敷居本体３１の高さ寸法よりも若干大きくなされており、敷居別体３２の装着時に敷居本体３１の前端面下端部が凸部３２ａ又は３２ｂの段部に収容されようになっている。また、敷居本体３１の前端面には、複数個のねじ穴３１ｂが長手方向に沿って施工され、敷居別体３２の中央部の長手方向に沿って複数個の取り付け穴３２ｃが施工されており、この取り付け穴３２ｃに挿入した連結具としての複数個のＰナベねじ８を敷居本体３１のねじ穴３１ｂにねじ込むことによって、敷居別体３２は敷居本体３１の前端面に固定される。図１に示すように、敷居別体３２の凸部３２ａを上側にして取り付けた場合には、敷居本体３１の奥行き寸法幅と敷居別体３２の奥行き寸法幅ｂ１の和が敷居全体の奥行き寸法幅となり、図１とは反対に、敷居別体３２の凸部３２ｂを上側にして取り付けた場合には、敷居本体３１の奥行き寸法幅と敷居別体３２の奥行き寸法幅ｂ２の和が敷居全体の奥行き寸法幅となる。
【００１１】
よって、以上のような構成によれば、敷居本体３１に対する敷居別体３２の取り付ける（組立てる）向きによって、敷居全体の奥行き寸法幅、すなわち、かご床奥行き方向の寸法を調整することができる。すなわち、敷居別体３２の凸部の長さの差分（ｔ１−ｔ２）の調整代が増す。また、敷居別体３２を複数個に分割することにより、余分な材料を使用することなく、必要な部分のみの敷居間隔の設定が可能となる。
【００１２】
実施の形態２.
図３はこの発明の実施の形態２におけるエレベータのかご床の敷居部分を示す要部断面図である。なお、実施の形態１と同一又は相当部分には同一符号を付して説明を省略する。
【００１３】
この実施の形態２では、敷居本体３１の前端面の下部に、敷居別体３２の凸部３２ａ、３２ｂが収まるような凹部３１ｃを設けたものである。凹部３１ｃの位置は、敷居別体３２の凸部３２ａ、３２ｂが凹部３１ｃに載った状態で、敷居本体３１の上面３１ａと敷居別体３２の上面３２ｄが面一になるように設定されている。また、敷居別体３２の高さ寸法は、敷居本体３１の高さ寸法よりも若干小さくされている。
【００１４】
実施の形態２の構成によれば、組立ての作業性が非常に良くなり、敷居にかかる荷重を凸部で支持することができ、より大きな荷重を支えることが可能となる。
【００１５】
実施の形態３.
図４はこの発明の実施の形態３におけるエレベータのかご床の敷居部分を示す要部断面図である。なお、実施の形態１と同一又は相当部分には同一符号を付して説明を省略する。
【００１６】
この実施の形態３では、敷居本体３１の見栄えを良くするために、敷居本体３１の上面３１ａに化粧溝３１ｄを設けるともに、敷居本体３１の前端面上部に面取り３１ｅを設けている。また、敷居別体３２の凸部３２ａ、３２ｂと反対の対角線上にあって、敷居本体３１の面取り３１ｅと互いに突合わされる角部には面取り３２ｅが施されている。
【００１７】
実施の形態３の構成によれば、敷居本体と敷居別体の合わせ面は敷居本体に元々施された化粧溝と同様な見栄えとなり、意匠性が良くなる効果がある。
【図面の簡単な説明】
【００１８】
【図１】この発明の実施の形態１におけるエレベータのかご床の敷居部分を示す要部断面図である。
【図２】この発明の実施の形態１におけるエレベータのかご床の敷居別体部分を示す縦断面図である。
【図３】この発明の実施の形態２におけるエレベータのかご床の敷居部分を示す要部断面図である。
【図４】この発明の実施の形態３におけるエレベータのかご床の敷居部分を示す要部断面図である。
【図５】従来のエレベータのかご床の敷居部分を示す要部断面図である。
【符号の説明】
【００１９】
１  床枠
２  Ｃ型チャンネル
３  敷居
３１  敷居本体
３１ａ  上面
３１ｂ  ねじ穴
３１ｃ  凹部  
３１ｄ  化粧溝
３１ｅ  面取り
３２  敷居別体
３２ａ、３２ｂ  凸部
３２ｃ  取り付け穴
３２ｄ  上面
３２ｅ  面取り
４  Ｌ型アングル
ボルト
７  タイル（敷物）
８  Ｐナベねじ
【図１】
2007331927.tif 000003
【図２】
2007331927.tif 000004
【図３】
2007331927.tif 000005
【図４】
2007331927.tif 000006
【図５】
2007331927.tif 000007